(57)【要約】【課題】運転、停止状態に関わらず正確に室内の空気汚れを検知することができる空気清浄機を提供することを目的とする。【解決手段】停止時は抵抗器８の自己発熱による上昇気流により空気汚れを検知し、運転時はファンモーター４による吸い込み気流を取り込み空気汚れを検知するようにしたことで、ファンモーター４の停止時および各速調モード運転時において、正確に室内の空気汚れを検知することができる。【選択図】　図１
2004044961.tif 000002
【特許請求の範囲】
【請求項１】
本体前面または側面に設けた吸気口と、この吸気口から吸気した空気を清浄化するための浄化手段と、この浄化手段に通風させるための送風手段と、空気中の粉塵汚れを検出する汚れセンサーと、この汚れセンサーと発熱手段を有孔収納箱に収納した検出部と、前記送風手段を前記汚れセンサーからの信号により運転制御する制御部を有し、前記汚れセンサーは前記送風手段が運転停止時には発熱手段の自然対流により空気汚れを検知し、前記送風手段が運転時には吸引気流により空気汚れを検知するようにした空気清浄機。
【請求項２】
送風手段の運転時に本体の背面から吸気する補助吸気口を設け、この補助吸気口から前記送風手段に至る風路内に汚れセンサーを設けてなる請求項１記載の空気清浄機。
【発明の詳細な説明】
【０００１】
【発明の属する技術分野】
本発明は、汚れセンサーにより室内の空気の汚れを検出し、制御部が送風手段を駆動して室内空気を吸い込み、浄化手段を通して清浄化する空気清浄機に関するものである。
【０００２】
【従来の技術】
従来、この種の空気清浄機は下記に記載されたものが知られている。
【０００３】
以下その空気清浄機について図５および図６を用いて説明する。図に示すように、空気清浄機本体１０１には、前面パネル１０３が設けられ、この前面パネル１０３には吸い込みグリル１０３ａが形成され、空気を清浄化するためのフィルター１０４と、フィルター１０４に通風するモーター１０５と、このモーター１０５を運転制御する制御部１０６を内蔵し、清浄化した空気を吹き出す吹き出し口１０７を天面に備えている。また、本体１０１の側面には室内の空気汚れを検出する光学式汚れセンサー１０２を設けている。
【０００４】
光学式汚れセンサー１０２は本体１０１側面の内部に取り付けられており、内蔵する発熱体（図示せず）により、下開口部１０２ａから上開口部１０２ｂに上昇気流を発生させて室内空気を取り込み雰囲気汚れを検出するものである。
【０００５】
上記構成において、光学式汚れセンサー１０２でほこり等が検出されたとき、制御部１０６は光学式汚れセンサー１０２からの信号の大小によりファンモーター１０５の回転数を変えて通風量を変化させ、室内の汚れに対応した清浄化運転を行なっている。このとき、図６に示すようにｔ時点にて空気汚れを検出してファンモーター１０５を風量弱レベルで回転させると、破線の実際の汚れレベルに対応してｔ１時点でファンモーター１０５を風量中レベルに移行する必要があるが、光学式汚れセンサー１０２からの検出信号ではｔ１時点より遅れたｔ２時点でファンモーター１０５が風量中レベルに移行することとなる。
【０００６】
【発明が解決しようとする課題】
このような従来の空気清浄機では、汚れた空気は本体前面の吸い込み口方向に流れてしまい、本体側面の下開口部からの空気取り込み量が減少し、光学式汚れセンサーの感度に影響するとともに応答が遅くなるという課題があり、送風量の変化に関わらず室内の空気汚れを正確に即座に検出できることが要求されている。
【０００７】
また、空気汚れの上下変動が激しい場合は、汚れセンサーの検出値も大きく変動することで運転風量が煩雑に変化するという課題があり、空気汚れの上下変動があっても安定して運転できることが要求されている。
【０００８】
本発明は上記課題を解決するためのもので、運転状態に関わらず室内の空気汚れを正確に即座に検出することができ、また、空気汚れの上下変動に対して安定して運転できる空気清浄機を提供することを目的としている。
【０００９】
【課題を解決するための手段】
本発明の空気清浄機は上記目的を達成するために、本体前面または側面に設けた吸気口と、この吸気口から吸気した空気を清浄化するための浄化手段と、この浄化手段に通風させるための送風手段と、空気中の粉塵汚れを検出する汚れセンサーと、この汚れセンサーと発熱手段を有孔収納箱に収納した検出部と、前記送風手段を前記汚れセンサーからの信号により運転制御する制御部を有し、前記汚れセンサーは前記送風手段が運転停止時には発熱手段の自然対流により空気汚れを検知し、前記送風手段が運転時には吸引気流により空気汚れを検知するようにしたものである。
【００１０】
本発明によれば、送風量の変化に関わらず室内の空気汚れを正確に検出することができる空気清浄機が得られる。
【００１１】
また、他の手段は、送風手段の運転時に本体の背面から吸気する補助吸気口を設け、この補助吸気口から前記送風手段に至る風路内に汚れセンサーを設けたものである。
【００１２】
そして本発明によれば、空気汚れの上下変動に対して安定して運転できる空気清浄機が得られる。
【００１３】
【発明の実施の形態】
本発明は、本体前面または側面に設けた吸気口と、この吸気口から吸気した空気を清浄化するための浄化手段と、この浄化手段に通風させるための送風手段と、空気中の粉塵汚れを検出する汚れセンサーと、この汚れセンサーと発熱手段を有孔収納箱に収納した検出部と、前記送風手段を前記汚れセンサーからの信号により運転制御する制御部を有し、前記汚れセンサーは前記送風手段が運転停止時には発熱手段の自然対流により空気汚れを検知し、前記送風手段が運転時には吸引気流により空気汚れを検知するようにしたものであり、ファンモーターを運転しているときは、フィルターに吸引される気流の一部を検出部に導入することにより汚れセンサーに汚染空気を必要なだけ供給できるという作用を有する。
【００１４】
また、送風手段の運転時に本体の背面から吸気する補助吸気口を設け、この補助吸気口から前記送風手段に至る風路内に汚れセンサーを設けたものであり、ファンモーターを運転しているときはフィルターに吸引される気流の一部を本体の背面から検出部に導入することにより、空気汚れの上下変動の少ない汚染空気を必要なだけ供給できるという作用を有する。
【００１５】
【実施例】
（実施例１）
以下、本発明の実施例１について図１、図２および図４を参照しながら説明する。図に示すように、空気清浄機本体１は略箱形に形成され、本体１の正面にはフロントパネル２を設け、中央に縦長の吸気口２ａを形成している。本体１内には空気を清浄化するためフィルター３と、このフィルター３に通風するファンモーター４が備えられ、本体１側面に吹出口１０が設けられている。ファンモーター４の駆動により空気口２ａから空気が吸い込まれ、フィルター３を通って清浄された後、吹出口１０から吹き出される。
【００１６】
フロントパネル２内の本体１上部には検出部５が設けられ、検出部５は有孔収納部５ｃに汚れセンサー９と発熱抵抗器８を上下に配置したものである。有孔収納部５ｃの前面には上下２箇所に空気を流通させるための開口部５ａ、５ｂが設けられている。
【００１７】
また本体１の正面上部には制御回路部６が収納された操作表示部７が備えられ、フロントパネル２を取り付けた状態で運転操作ができるとともに、運転状態が表示されるものである。
【００１８】
上記構成において、操作表示部７を自動運転に設定した場合に、ファンモーター４の運転が停止しているときは検出部５内の発熱抵抗器８による上昇気流により開口部５ｂから空気を取り込み、室内の汚れ状態を汚れセンサー９にて検出する。このとき図４に示すように汚れセンサー９が一定基準値以上の汚れ値（ｔ時点）を検出すると、制御回路部６はファンモーター４を駆動して空気汚れを清浄化する。
【００１９】
次にファンモーター４が駆動すると、検出部５の上下に設けられた開口部５ａを通じて汚染空気の一部が取り込まれ、この空気が検出部５の汚れセンサー９を通過することにより、ｔ１、ｔ２時点が略同一となり室内の汚れ状態を正確かつ即座に検出することができる。
【００２０】
このように、ファンモーターの運転停止状態に関わらず、汚れセンサー９は常に室内の空気汚れ状態を正確に検出することができ、ファンモーターの運転および変速を空気汚れに応じて正確かつ即座に行なうことができる。
【００２１】
（実施例２）
図１および図３に示すように、本体１の背部に補助吸気口１ａを設け、補助吸気口１ａと検出部５の開孔部５ａとは連通した構成としている。
【００２２】
上記構成において、運転が停止している時は検出部５に設けられた発熱抵抗器８による上昇気流により空気を取り込み、室内の汚れ状態を汚れセンサー９にて検出する。このとき、汚れセンサー９が一定以上の汚れ値を検出すると制御回路部６はファンモーター４を駆動して空気汚れを清浄化する。
【００２３】
次にファンモータ４が駆動すると、本体１の背面に設けられた補助吸気口１０から検出部５の開孔部５ａへと空気の流れが発生して、室内の空気が検出部５の汚れセンサー９を通過することにより、本体１背面における室内の空気汚れを検出することができる。
【００２４】
このように、本体１の背面から室内空気を吸引することにより、本体１の前面に比べて空気汚れの上下変動や濃度むらが少ないので、運転モードの自動切替の頻度が少なくなり安定した運転状態を保つことができる。
【００２５】
【発明の効果】
以上の実施例から明らかなように、送風手段の停止時は発熱手段の自然対流により室内空気を検出部に導入し、送風手段の運転時には、浄化手段への吸引気流を利用して検出部に導入することにより、検出部が室内の空気汚れを正確かつ即時に検出して、送風手段の運転切り換えを応答性良く、正確に行なうことができるという効果のある空気清浄機を提供できる。
【００２６】
また、本体の背面に補助吸気口を設けることで、室内の空気汚れの上下変動や濃度むらが生じても運転モードの頻繁な切り換りがなく、良好な使用感を保つことができるという効果のある空気清浄機を提供できる。
【図面の簡単な説明】
【図１】本発明の空気清浄機の実施例１および２の一部破断の外観斜視図
【図２】同実施例１の要部断面図
【図３】同実施例２の要部断面図
【図４】同実施例１の汚れセンサーのタイミングチャート
【図５】従来の空気清浄機の一部破断の外観斜視図
【図６】同空気清浄機の汚れセンサーのタイミングチャート
【符号の説明】
１　　　本体
１ａ　　　　　　補助吸気口
２ａ　　　　　　吸気口
３　　　フィルター（浄化手段）
４　　　ファンモーター（送風手段）
５　　　検出部
５ｃ　　有孔収納箱
６　　　制御回路部（制御部）
８　　　発熱手段
９　　　汚れセンサー
【図１】
2004044961.tif 000003
【図２】
2004044961.tif 000004
【図３】
2004044961.tif 000005
【図４】
2004044961.tif 000006
【図５】
2004044961.tif 000007
【図６】
2004044961.tif 000008